(57)【特許請求の範囲】
【請求項１】
基地局と移動機局等の受信機間で情報をスペクトル拡散通信技術を利用したＣＤＭＡ方式で伝送する場合のＣＤＭＡ受信機において、
周期的に遅延プロファイル測定とパスタイミング測定を行うパスサーチ機能部を有し、
該パスサーチ機能部によって前記周期的に測定したパスサーチ毎のパスタイミング変化量を基に、基地局と移動機間の周波数差を減少させるＡＦＣ機能部を有することを特徴とするＡＦＣ機能の有るＣＤＭＡ受信機。
【請求項２】
パスサーチ機能部における周期的に行うパスサーチはディジタル処理にて実行し、パスサーチ毎の複数の各パスタイミングの偏移から求められる正負の符号によりＡＦＣ用ＤＡ変換器の制御ビットを規定し、該ＡＦＣ用ＤＡ変換器を介してＡＦＣを行うことを特徴とした請求項１に記載のＡＦＣ機能の有るＣＤＭＡ受信機。
【請求項３】
パスサーチ毎の複数の各パスタイミングの差分から求まる正負の符号および各パスタイミングの偏移の絶対値によりＡＦＣ用ＤＡ変換器の制御ビットを規定し、該ＡＦＣ用ＤＡ変換器を介してＡＦＣを行うことを特徴とした請求項２記載のＡＦＣ機能の有るＣＤＭＡ受信機。
【請求項４】
遅延プロファイルによる各パスの振幅値による重み付けによりＡＦＣ用ＤＡ変換器の制御ビットを規定し、該ＡＦＣ用ＤＡ変換器を介してＡＦＣを行うことを特徴とした請求項２または３に記載のＡＦＣ機能の有るＣＤＭＡ受信機。
【請求項５】
パスサーチ機能部は、基地局と受信機間で情報を伝送するセルまたはセクタを識別する機能を有し、セルまたはセクタ毎のパスタイミング情報を利用してＡＦＣを行うことを特徴とした請求項２ないし４のうちのいずれか１項に記載のＡＦＣ機能の有るＣＤＭＡ受信機。
【請求項６】
パスサーチ機能部は、マッチトフィルタまたはスライディング相関のいずれか一方または両者により構成された遅延プロファイル測定機能と高速カウンターによるパスタイミング測定機能とから構成されたことを特徴とした請求項１に記載のＡＦＣ機能の有るＣＤＭＡ受信機。
【請求項７】
パスサーチ機能部は、パスサーチにおいて複数のパスの振幅とタイミングから平均パスタイミングである重心を算出し、周期的なパスサーチにおける該平均パスタイミングである重心の偏移によりＡＦＣ用ＤＡ変換器の制御ビットを規定し、該ＡＦＣ用ＤＡ変換器を介してＡＦＣを行うことを特徴とした請求項１または２に記載のＡＦＣ機能の有るＣＤＭＡ受信機。
【請求項８】
パスタイミング変化量を基にしたＡＦＣ方式を同期追従時に用いたことを特徴とした請求項１に記載のＡＦＣ機能の有るＣＤＭＡ受信機。
【請求項９】
パスが消失しまたはパスの振幅が減少する場合において、パスタイミングの偏移の測定対象から除外するものであることを特徴とした請求項２ないし４のうちのいずれか１項に記載のＡＦＣ機能の有るＣＤＭＡ受信機。
【発明の詳細な説明】
【０００１】
【発明の属する技術分野】
本発明は、スペクトル拡散通信方式の受信機および符号分割多元接続（ＣＤＭＡ：Ｃｏｄｅ  Ｄｉｖｉｓｉｏｎ  Ｍｕｌｔｉｐｌｅ  Ａｃｃｅｓｓ）方式の受信機における自動周波数制御（ＡＦＣ：Ａｕｔｏｍａｔｉｃ  Ｆｒｅｑｕｅｎｃｙ  Ｃｏｎｔｒｏｌ）を設けた移動通信システムに関した、ＡＦＣ機能の有るＣＤＭＡ受信機に係るものである。
【０００２】
【従来の技術】
スペクトル拡散通信およびスペクトル拡散通信技術を利用したＣＤＭＡシステムは、マルチパスフェージングに強い、データの高速化が可能、通信品質が良好、周波数利用効率が高い等の特徴を保有しているため、次世代の移動通信およびマルチメディア移動通信に有望な通信方式である。
スペクトル拡散通信およびＣＤＭＡシステムにおける送信信号は、送信側において伝送すべき信号の帯域幅よりも、はるかに広い帯域に拡散して送信される。一方、受信側ではスペクトル拡散された信号を元の信号帯域幅に復元することにより上記特徴が発揮される。
【０００３】
図６はＣＤＭＡシステムの受信部のブロック図を示している。図６において、アンテナ１で受信されたＣＤＭＡ信号はＲＦ増幅部２により増幅された後、周波数変換部３により無線周波数から中間周波数またはベースバンド周波数に変換され、逆拡散／同期部４と同期検波およびＲａｋｅ合成機能から成る情報復調部５とを介して復調データ８が得られる。ＣＤＭＡ受信機では従来の狭帯域通信に対して、逆拡散／同期部４が付加された構成となっている。
移動体通信はマルチパス環境下で動作するため、その状況を把握するためのパスサーチ部６があり、これにより、逆拡散／同期およびＲａｋｅ合成すべき受信信号のパスを規定する。また、逆拡散信号またはＲａｋｅ合成後の信号９を利用したＡＦＣ部７が構成され、周波数変換部３にフイードバックされる。
【０００４】
図７は、従来のＡＦＣ方式（ＡＦＣ回路）の構成例を示す。また、このＡＦＣ方式は図８に示すＷ−ＣＤＭＡ（Ｗｉｄｅｂａｎｄ−ＣＤＭＡ）の信号構成を基にして実現されている。
すなわち、ＡＦＣ部７は逆拡散された信号またはＲａｋｅ合成後の信号９から図８に示すパイロットシンボル２０〜２３、３０〜３３および４０〜４３を抽出するパイロット抽出部１１、そのパイロットシンボル間の位相差を算出する位相差検出部１２およびＡＦＣ制御信号１０を生成するためのデジタルーアナログ変換器（ＤＡ変換器）１３から構成されている。
図８においてＷ−ＣＤＭＡ復調信号１９はシンボル長Ｔ１のパイロットシンボル２０〜２３、３０〜３３および４０〜４３がスロット長Ｔ２毎に配置されており、シンボル間位相差φ１またはスロット間位相差φ２を検出し、その位相差から周波数誤差△ｆを算出する。
△ｆ＝φ１／Ｔ１                  …（１）
または
△ｆ＝φ２／Ｔ２                  …（２）
このＡＦＣ手法についての詳細は次の文献に示されている。
文献１：渡辺等“Ｗ−ＣＤＭＡ移動機用ＡＦＣ回路”１９９８年電子情報通信学会通信ソサイエティ大会Ｂ−５−１４６
文献２：坂石等“Ｗ−ＣＤＭＡ移動機ＡＦＣ方式の検討”１９９９年電子情報通信学会総合大会Ｂ−５−１１５
【０００５】
【発明が解決しようとする課題】
図７および図８に示したようにパイロットシンボル間の位相差を利用したＡＦＣ方式では、Ｗ−ＣＤＭＡの信号構成に大きく依存しており、スロット毎に配置／時間多重されたパイロットシンボルを逆拡散、復調および抽出しなければならない。そのため、例えば１スロットに配置されているパイロットシンボル数の変更やスロット周期の変更およびパイロットシンボルレートの変更等、Ｗ−ＣＤＭＡの信号構成の変更により、方式の変更が要求され、またＡＦＣ特性が変動する解決するべき課題がある。
さらに、移動体通信環境では位相変動が大きいため位相測定の精度が悪くなる課題がある。そのためパイロットシンボルの位相測定に基いた手法では、図７のように平均化処理部１４が必要になり、その平均化時間は伝搬路特性に依存するため、最適化が困難となる課題がある。さらに通信環境の変動によりパイロットシンボルを復調および抽出する段階で誤った処理が発生する可能性があるため、ＡＦＣ動作の安定性に課題がある。
【０００６】
本発明は、前記の問題点を解消するためになされたものあって、基地局と移動機間で伝送するＣＤＭＡ受信機におけるＡＦＣ動作の安定性を確保でき、かつＣＤＭＡ受信機の構成および制御系が簡易になり、小型・軽量化が可能になるＡＦＣ機能の有るＣＤＭＡ受信機を提供することを課題とする。
【０００７】
【課題を解決するための手段】
本発明は、前記課題を解決するため、次の構成を有する。
本発明は、基地局と移動機局等の受信機間で情報をスペクトル拡散通信技術を利用したＣＤＭＡ方式で伝送する場合のＣＤＭＡ受信機において、周期的に遅延プロファイル測定とパスタイミング測定を行うパスサーチ機能部を有し、該パスサーチ機能部によって前記周期的に測定したパスサーチ毎のパスタイミング変化量を基に、基地局と移動機間の周波数差を減少させるＡＦＣ機能部を有することを特徴とするＡＦＣ機能の有るＣＤＭＡ受信機である。
また、本発明において、パスサーチ機能部における周期的に行うパスサーチはディジタル処理にて実行し、パスサーチ毎の複数の各パスタイミングの偏移から求められる正負の符号によりＡＦＣ用ＤＡ変換器の制御ビットを規定し、該ＡＦＣ用ＤＡ変換器を介してＡＦＣを行うものである。
また、本発明において、パスサーチ毎の複数の各パスタイミングの差分から求まる正負の符号および各パスタイミングの偏移の絶対値によりＡＦＣ用ＤＡ変換器の制御ビットを規定し、該ＡＦＣ用ＤＡ変換器を介してＡＦＣを行うものである。
また、本発明において、遅延プロファイルによる各パスの振幅値による重み付けによりＡＦＣ用ＤＡ変換器の制御ビットを規定し、該ＡＦＣ用ＤＡ変換器を介してＡＦＣを行うものである。
また、本発明において、パスサーチ機能部は、基地局と受信機間で情報を伝送するセルまたはセクタを識別する機能を有し、セルまたはセクタ毎のパスタイミング情報を利用してＡＦＣを行うものである。
また、本発明において、パスサーチ機能部は、マッチトフィルタまたはスライディング相関のいずれか一方または両者により構成された遅延プロファイル測定機能と高速カウンターによるパスタイミング測定機能とから構成されたものである。
また、本発明において、パスサーチ機能部は、パスサーチにおいて複数のパスの振幅とタイミングから平均パスタイミングである重心を算出し、周期的なパスサーチにおける該平均パスタイミングである重心の偏移によりＡＦＣ用ＤＡ変換器の制御ビットを規定し、該ＡＦＣ用ＤＡ変換器を介してＡＦＣを行うものである。
また、本発明において、パスタイミング変化量を基にしたＡＦＣ方式を同期追従時に用いたものである。
また、本発明において、パスが消失しまたはパスの振幅が減少する場合において、パスタイミングの偏移の測定対象から除外するものである。
【０００８】
ここで、本発明のＣＤＭＡ受信機におけるＡＦＣ方式は受信機側で測定したパスタイミングの変化に注目し、パスタイミングの変化は送信機側との周波数偏差に基くものとしている。すなわち、伝搬路の遅延プロファイルから決定される信号のパスタイミングを周期的に検出し、そのタイミングの偏移を補正するようにＡＦＣ制御用ＤＡ変換器の制御信号を生成する。
本発明によれば、測定が容易な遅延プロファイルの振幅情報およびパスタイミングである時間情報を用いてパス偏移を補正する方向にＡＦＣ制御を行う。パスが安定に存在するような制御を行うため、ＡＦＣは安定な動作を行う。またパスサーチ機能は本来、逆拡散およびＲａｋｅ合成すべきパスを選択するために用意してある機能であり、その機能をＡＦＣにも利用できるように有効利用を図った。したがって、ＣＤＭＡ受信機の構成および制御系が容易になり、小型・軽量化が可能となる。
【０００９】
【発明の実施の形態】
以下、図面を参照して本発明の実施形態を詳細に説明する。
図１は本発明のＡＦＣ機能の有る、ＣＤＭＡ方式の受信機（移動機）の構成図である。
【００１０】
図１に示すように、基地局から送信された無線周波数のＣＤＭＡ信号は、移動機であるＣＤＭＡ受信機のアンテナ５０で受信され、ＲＦ増幅部５１により増幅された後、周波数変換部５２により無線周波数から中間周波数またはベースバンド周波数に変換されてＣＤＭＡ信号６５が得られる。この変換されたＣＤＭＡ信号は、逆拡散／同期部５３に入力されて逆拡散しかつ同期を取られ、その後、同期検波部５５およびＲａｋｅ合成部５６から成る情報復調部５４を介して復調されたデータ６７が得られる。
【００１１】
ここで、前記中間周波数またはベースバンド等に変換されたＣＤＭＡ信号６５は本発明に係るＡＦＣ機能を実現するために利用される。実施形態におけるこのＡＦＣ機能を実現する構成は、遅延プロファイルの測定部５８とパスタイミングの測定部５９とを有して、これら各測定を後述する基準クロック６４の周波数に応じて周期的に実行するパスサーチ部５７と、このように周期的に行うパスサーチにより得られたパスタイミング信号６９を利用してパスタイミングの時間的偏移を測定し、パス偏移を補正するためのディジタルの制御信号６８を出力するパス偏移測定・制御部６０と、ディジタルの制御信号をアナログ信号のＡＦＣ信号７０に変換するＤＡ変換器４９と、上記のようにパス偏移に基づいて生成されたＡＦＣ信号７０により周波数を制御するＶＣＯ（電圧制御発振器）６１およびＶＣＯ６１の出力信号６２に基いて基準クロック信号６４を生成する基準クロック生成部６３とを有している。また、前記ＶＣＯ６１の出力信号６６は、周波数変換部５２にフイードバックされる。
【００１２】
なお、ディジタルの制御信号６８とアナログのＡＦＣ信号は本質的に同一のものであり、ディジタルの制御信号６８をＤＡ変換したものがＡＦＣ信号である。ＤＡ変換器４９を用いるのは、ＶＣＯ６１の入力がアナログ信号と仮定しているためであり、ＶＣＯ６１がディジタル入力のものであれば、ＤＡ変換器４９は不要である。
また、ＶＣＯ出力の信号６２および６６は双方とも、制御信号６８（ＡＦＣ信号７０）により制御されている。つまり、基準クロック生成部６３はＰＬＬ（Ｐｈａｓｅ  Ｌｏｃｋｅｄ  Ｌｏｏｐ）構成され、ＰＬＬの基準周波数は、ＶＣＯ６１の出力６２であり、この出力に基づき、基準クロック生成部６３で基準クロック信号６４が生成される。この基準クロック信号６４は、周波数変換後の信号６５が入力されるベースバンド周波数の処理部で使用する。例えば、ＣＤＭＡ信号のチップレートの数倍（例えば４倍）程度の周波数である。他方、周波数変換部５２に入力される信号６６は、局部発信周波数を生成するため使用する。
【００１３】
前記パスサーチ部５７から得られた遅延プロファイルおよびパスタイミング信号６９は、無線伝搬路で生じたマルチパス等の遅延波成分に対応しており、ＣＤＭＡ信号６５から逆拡散すべきパスの選択および同期検波／Ｒａｋｅ合成すべきパスを選択するために、前記の遅延プロファイルおよびパスタイミング信号６９は逆拡散／同期部５３、情報復調部５４にそれぞれ入力される。
【００１４】
図２は周期的に実行したパスサーチ部５７の出力のパスタイミング信号６９の一例を示している。
図２において、信号７１，７２，７３，７４はそれぞれパスタイミングｔ１１，ｔ１２，ｔ１３，ｔ１４において信号振幅Ａ１１，Ａ１２，Ａ１３，Ａ１４の遅延プロファイルを持っている。次の周期でのパスサーチ結果について、信号８１，８２，８３，８４はそれぞれパスタイミングｔ２１，ｔ２２，ｔ２３，ｔ２４において信号振幅Ａ２１，Ａ２２，Ａ２３，Ａ２４の遅延プロファイルを持っている。以下同様に周期的なパスサーチにより、信号９１，９２，９３，９４はそれぞれパスタイミングｔ３１，ｔ３２，ｔ３３，ｔ３４において信号振幅Ａ３１，Ａ３２，Ａ３３，Ａ３４の遅延プロファイルを持っている。
【００１５】
送信機側であるＣＤＭＡ基地局の周波数とＣＤＭＡ移動機である受信機側での周波数は−般的には異なっているため、周期的にパスタイミングを測定すれば、送受信周波数差に依存して各パスタイミングは偏移する。
本発明は送受信周波数差を補正する機能、すなわちＡＦＣ機能を実現するために、周期的に測定したパスタイミングの偏移を利用する。
【００１６】
図３は図２における最大の遅延プロファイルを示す第１のパス７１，８１，９１についてのパスタイミング偏移を示している。すなわち規定された周期的な本来のパスタイミングｔ210，ｔ310に信号８１０，９１０が観測されるべきであるが、送受信周波数差に原因して遅延した時間（パスタイミング）ｔ21，ｔ31にパス８１，９１が存在するように測定される。
【００１７】
図３の例では受信機側の周波数が送信機側よりも高い、すなわち基準クロック生成部６３で生成された基準クロック信号６４の周波数が高いため、この高い周波数の基準クロック信号６４でパスタイミングを測定した場合、カウント値が大きくなり、等価的にパスは遅れた位置にある信号８１として測定される。このように周期的にパスタイミングを測定すれば、図３に示すように送受信機間で周波数が一致した理想的なＡＦＣ動作状態での本来のパスタイミシグ８１０，９１０から遅延した測定信号８１，９１が得られる。このようにパスタイミングが遅れてきた場合には、基準クロック周波数を低くする方向にパス偏移測定・制御部６０から制御信号６８を生成し、ＤＡ変換器４９によりＡＦＣ信号７０を生成しＶＣＯ６１を介して周波数制御を行うように機能すれば送受信機問での周波数差を小さくする事が可能となる。すなわちＡＦＣとして機能する。
【００１８】
逆に、パスタイミングが進んできた場合には、基準クロック周波数を高くする方向にパス偏移測定・制御部６０から制御信号６８を生成し、ＤＡ変換器４９によりＡＦＣ信号７０を生成しＶＣＯ６１を介して周波数制御を行うように機能すれば送受信機間での周波数差を小さくする事が可能となる。
【００１９】
図４はＡＦＣ信号７０すなわちＶＣＯ６１の制御電圧の生成方法を示している。横軸は基準クロック生成部６３で生成された基準クロック信号６４の周波数ｆ（移動機での周波数）と希望周波数ｆ０（基地局での送信周波数）との差周波数を示し、縦軸はＶＣＯ６１の制御信号であるＡＦＣ信号（電圧）７０を示す。図３で示したように基準クロック６４の周波数ｆ１が希望周波数ｆ０より高い場合はその差周波数△ｆ＝ｆ１−ｆ０は正のためＡＦＣ信号を減少させる方向、すなわちＡＦＣ信号（電圧）７０を減少させる方向に制御する。これは基準クロック６４の周波数を低くすることに対応し、逆に基準クロック６４の周波数が希望周波数ｆＯより低い場合、ＡＦＣ信号（電圧）７０を増加させる方向に、すなわち基準クロック６４の周波数を高くするように制御する（請求項１に対応）。
【００２０】
次に、ＡＦＣ信号（電圧）７０の生成法について説明する。第１の手法として、差周波数△ｆの符号のみから決定し、例えば図３の例では差周波数△ｆは正のため１ビットだけ周波数を減少させる方向に制御し、一方、差周波数△ｆが負の場合には１ビットだけ周波数を増大させる方向に制御する（請求項２に相当）。ＡＦＣ信号７０はその制御１ビットをＤＡ変換したアナログ値であり、制御する最少単位である１ビットは、ＤＡ変換器４９のビット数とＶＣＯ６１の特性（例えば図４の傾き）から決まり、ＤＡ変換器４９のビット数を増大することにより高精度な周波数制御が可能となる。
【００２１】
ＡＦＣ信号７０の第２の生成法として、差周波数△ｆの符号のみでなく、差周波数△ｆの絶対値により制御ビットに重み付けを行うことにより迅速なＡＦＣ制御が可能となる（請求項３または４に対応）。この重み付け法は、ＣＤＭＡ受信機が同期追従状態では細かなステップ幅で制御ができるだけでなく、電源ＯＮされた初期状態では、送受信機間の周波数誤差は大きいため、大きなステップ幅にて迅速なＡＦＣ動作が要求される初期引き込み動作時にも有効である。
すなわち、電源のＯＮされた直後の初期状態では、周波数誤差が大きいため、制御信号６８を大きくすることによる迅速な周波数引き込みが（ＡＦＣ）が必要になる。ＡＦＣ信号の第２の生成法で説明したように、差周波数Δｆの絶対値の大きさに依存した制御量（制御信号６８の振幅）を生成することにより迅速な制御を可能としている。逆に、逆拡散／同期部５３によりＣＤＭＡ信号の同期捕捉が完了し同期追従状態となり、安定な同期検波、Ｒａｋｅ合成によりデータ復調を実行できるようになり、差周波数Δｆの絶対値は小さいため制御量（制御信号６８の振幅）も小さくなる。このように、本ＡＦＣ方式では、初期状態および同期追従状態の両状態において適用が可能である。
【００２２】
前記の図３では図２における最大振幅を持った第１のパス（メインパス）７１，８１，９１に関するパスタイミング偏移について説明した。しかしながら、第２、第３および第４のパス７２，８２，９２、７３，８３，９３、７４，８４，９４についても同様にパスタイミング偏移を測定し、ＡＦＣ信号７０を生成することができる。
たとえば、上記複数の各パスタイミング偏移を測定し、差周波数△ｆが正のパスと差周波数△ｆが負のパスの数に依存して、いずれかの方向に１ビットだけ周波数を偏移するようにＡＦＣ信号７０を生成する。これは上記第１のＡＦＣ信号７０の生成法に対応する。一方、複数パスの各差周波数△ｆの絶対値をも考慮して、各パスの重み付け加算した値を基に周波数を偏移するようにＡＦＣ信号７０を生成する。これは上記第２のＡＦＣ信号７０の生成法に対応する。
【００２３】
以上のように本発明のＡＦＣ機能によれば、複数のパスを利用し、その複数パスタイミングの偏移を利用することにより安定性のある制御が実現できる。
なお、基地局と移動機間におけるマルチパス環境条件の変動により、時々刻々遅延プロファイルが変動する場合がある。すなわち、パスが消失またはパスの振幅が減少する場合がある。この消失または振幅が減少したパスに関しては、パス偏移を測定する対象パスから除くことにより、安定性のある制御が実現できる。また遅延プロファイルが変動する場合には、平均化処理をパスサーチ部５７に付加する事により遅延プロファイルの変動を抑圧でき安定な動作が期待できる。
【００２４】
ＡＦＣ信号７０を生成する別の方法について以下に示す。
前記の図２に示すようにパスサーチ出力での各パス振幅Ａは、ＡＦＣ信号を生成するためのパス情報として利用すべきか否かの信頼性を示している。上記した複数パスを利用してＡＦＣ信号７０を生成するためには、各パスの振幅に依存した重み付けをも考慮して行うことにより安定性があり、また信頼性のある制御が実現できる。振幅が小さいパスについてはスレッショルドを設けて、測定対象から削除することも可能である。
【００２５】
図５はＡＦＣ信号７０を生成する別の方法について示している。
周期的に複数パスの各パス偏移を測定することは煩雑なため、図５に示すように複数のパスの振幅とタイミングから平均パスタイミングである重心ｔ０を算出し、その重心ｔ０にある１パスでマルチパス成分を代表し表現する。ＡＦＣ信号７０は周期的に重心ｔ０にある１パスのパスタイミング偏移から算出する。図５の示したパス１０１，１０２，１０３，１０４は時間ｔ１，ｔ２，ｔ３，ｔ４に振幅Ａ１，Ａ２，Ａ３，Ａ４を持ったパスと仮定する。この場合の重心ｔ０は下記の（３）式で表現できる。
【００２６】
0003581067.tif 000002
【００２７】
図１におけるパスサーチ部５７の実現法としてマッチトフィルタ（ＭＦ）法とスライディング相関・ＤＬＬ（Ｄｅｌａｙ  Ｌｏｃｋ  Ｌｏｏｐ）法がある。
まず、マッチトフィルタを利用した手法では、相関出力が遅延プロファイルに対応するため構成が容易である。ＣＤＭＡセルラーシステム（移動電話システム）で、例えばセルまたはセクタで同一のコード（共通のコード）が使用されている場合、その共通コードに対するＭＦではセルおよびセクタの識別ができないため、ＭＦ出力は全てのセル・セクタ情報を含む。したがってＭＦを利用したパス偏移に基くＡＦＣ方式は全てのセル・セクタのパスを使用した方式となる。
【００２８】
一方、スライディング相関・ＤＬＬを利用した手法では、パス成分に依存して相関を取るべきコード種を変更することが容易である。すなわちセル・セクタ毎に異なるコードを利用してスライディング相関・ＤＬＬを利用する場合には、それぞれに対応したコードに対する相関出力を得ることができるため、パス成分毎にセルおよびセクタの識別ができる。したがって、スライディング相関・ＤＬＬを利用したパス偏移に基くＡＦＣ方式はセル・セクタ毎のパスを分離して使用できる方式である。
【００２９】
【発明の効果】
以上説明したように、本発明によれば、ＣＤＭＡシステムにおいて必須であるパスサーチ機能を利用してＡＦＣ動作を実現するため、新たに複雑なＡＦＣ回路の付加が不要であり、ＣＤＭＡ受信機の回路規模およびゲート規模が削減でき、低消費電力化を図ることができる。またパスサーチ機能を利用しているため安定なＡＦＣ動作が可能である。
【図面の簡単な説明】
【図１】本発明の実施形態に係るＡＦＣ機能の有る移動通信システムの受信機の構成ブロック図である。
【図２】パスサーチ出力信号の例を示す説明図である。
【図３】パスタイミング偏移の例を示す説明図である。
【図４】ＡＦＣ信号生成法の一例の説明図である。
【図５】ＡＦＣ信号生成法の他の例の説明図である。
【図６】従来のＣＤＭＡ受信機の構成説明ブロック図である
【図７】従来のＡＦＣ構成法の説明図である。
【図８】Ｗ−ＣＤＭＡ信号構成説明図である。
【符号の説明】
４９  ＤＡ変換器
５０  アンテナ
５１  ＲＦ増幅部
５２  周波数変換部
５３  逆拡散・同期部
５４  情報復調部
５５  同期検波部
５６  Ｒａｋｅ合成部
５７  パスサーチ部
５８  遅延プロファイル測定部
５９  パスタイミング測定部
６０  パス偏移測定／制御部
６１  ＶＣＯ
６３  基準クロック生成部
６４  基準クロック
６７  復調データ
６８  制御信号
６９  パスタイミング
７０  ＡＦＣ信号
【図１】
0003581067.tif 000003
【図２】
0003581067.tif 000004
【図３】
0003581067.tif 000005
【図４】
0003581067.tif 000006
【図５】
0003581067.tif 000007
【図６】
0003581067.tif 000008
【図７】
0003581067.tif 000009
【図８】
0003581067.tif 000010